(57)【要約】  本発明は、シリンダ軸が互いに平行である円形の断面を持つ４つのシリンダ８、８’とアウトプット・シャフト２とを有する往復ピストン・エンジン１に関するものであり、シリンダ軸は、軸断面内で見たときに、矩形の端点にある。本発明による往復ピストン・エンジンは、この矩形は正方形であり、正方形の中心にシリンダ軸に平行に延在するアウトプット・シャフト２の軸が配置されること、それぞれの場合において、互いに対向し対角線上に配置される２つのシリンダ８、８’は、軸方向で見たときに、同じ方向に配置構成され、また軸方向で見たときに、２つの他のシリンダ８’、８に関して対向する方向に配置構成されること、並びに力及びモーメントの伝達は、それぞれのシリンダ８、８’から専用の回転クランク７、７’と歯部・システム３、４、５、６とを介してアウトプット・シャフト２へ生じることを特徴とする。
2013524094.tif 000002
【特許請求の範囲】
【請求項１】
シリンダ軸が互いに平行である円形の断面を持つ４つのシリンダ（８、８’）とアウトプット・シャフト（２）とを有し、前記シリンダ軸は、軸断面内で見たときに矩形の端点にある、往復ピストン・エンジン（１）であって、前記矩形は正方形であり、前記正方形の中心に前記シリンダ軸に平行であるアウトプット・シャフト（２）の軸が配置されること、それぞれの場合において、互いに対向し対角線上に配置される２つのシリンダ（８、８’）は、軸方向で見たときに、同じ方向に配置構成され、また軸方向で見たときに、２つの他のシリンダ（８’、８）に関して対向する方向に配置構成されること、並びにそれぞれのシリンダ（８、８’）からの力及びトルクの伝達は、別々の回転クランク（７、７’）と歯部（３、４、５、６）を介してアウトプット・シャフト（２）へなされることを特徴とする往復ピストン・エンジン（１）。
【請求項２】
互いに対向して対角線上に配置されるピストン（９、９’）は、同位相で、また対向する方向に回転するクランク（７）とともに配置構成されることを特徴とする請求項１に記載の往復ピストン・エンジン（１）。
【請求項３】
すべての前記シリンダ（８、８’）の前記ピストン（９、９’）は、その上死点及び下死点に同時に到達することを特徴とする請求項２に記載の往復ピストン・エンジン（１）。
【請求項４】
前記歯部はかさ歯車（３、４）を有することを特徴とする請求項１から３までのいずれか一項に記載の往復ピストン・エンジン。
【請求項５】
前記クランクシャフト（７）の前記軸（７’）は、前記アウトプット・シャフト（２）の前記軸と交差すること、及び前記クランクシャフト（７）は、前記アウトプット軸上のかさ歯車（３）とかみ合うかさ歯車（４）を有することを特徴とする請求項１から４までのいずれか一項に記載の往復ピストン・エンジン。
【請求項６】
前記クランクシャフト（７）の前記軸（７’）は、対では互いに平行であり、前記アウトプット・シャフト（２）の前記軸に対しては斜めであること、及び前記クランクシャフト（７）は、前記アウトプット軸上のかさ歯車（３）とかみ合う同軸かさ歯車（４）を有する中間歯車（５）とかみ合うクランク機構（６）を有することを特徴とする請求項１から４までのいずれか一項に記載の往復ピストン・エンジン。
【発明の詳細な説明】
【技術分野】
【０００１】
本発明は、請求項１の前文に対応する質量均等化（ｍａｓｓ  ｅｑｕａｌｉｚａｔｉｏｎ）の改善された往復ピストン・エンジンに関するものである。このようなエンジンは、特許文献１から知られる。この文献は、それぞれのピストンがロッカに作用するデバイスを開示しており、ロッカは、かさ歯車トランスミッション及びフリー・ホイールを介して、往復運動を、シリンダ軸に関して垂直方向に延在するアウトプット・シャフトの連続回転運動に変換する。質量を往復させるという基本的問題すべてに加えて、質量均等化が不十分である。
【背景技術】
【０００２】
特許文献２では、アウトプット軸が固定されているが、その後アウトプット軸周りで回転するようにセットされたときでも動作し続けることができる往復ピストンを備えるエンジンを開示している。前記エンジンは、アウトプット軸の同軸上に鏡面反転の形で配置構成された２つの環状シリンダを有し、またカルダン自由継手若しくはディファレンシャルの一種により内部トランスミッションを介してアウトプット軸に接続された環状ピストンを有する。ピストンに完全な質量均等化がある場合であっても、複雑なトランスミッション（シリンダの中央キャビティ内に配置構成されている）は、他の実用上の不備を考えないとしても完全には均等化されない。
【０００３】
一般に、往復ピストン・エンジンは、円熟した技術であり、ノウハウが一般的に入手可能であり、材料が技術的に洗練されており、シリンダ内の燃焼プロセスが広範囲にわたって知られており、結果として達成される各利用分野への適応に優れていることから、広く行き渡っている。
【０００４】
往復ピストン・エンジンの原理に内在する問題は、質量均等化の問題であり、この問題は、一方では、上死点及び下死点からのピストンの速度が均一でないことと併せてピストンの前後運動の結果生じ、他方では、クランクの運動の横方向成分によって引き起こされる不釣り合いの結果として生じる。
【０００５】
１２０°の点火間隔で４行程動作するときの直列６気筒エンジンは、自由質量力と自由質量トルクの両方を有し２次まで完全な均等化を実現するが、そのようなエンジンでは、長いクランクシャフトのねじれ剛性、又はねじれ剛性の欠如がすでに問題となり始めており、シリンダを直列に配置構成する結果として、エンジン・ブロックは非常に長い設計のものとなる。
【０００６】
均等化構造は、クランクシャフトと平行し、回転するように固定される形でそれに接続されたさまざまな偏心シャフトで動作し、通常は、質量力及び質量トルクを均等化するためにクランクシャフトの回転速度の２倍、又は回転速度の４倍の速度で回転する。これらの複雑な、したがって、高価なシステムとは逆に、設計者らは、さまざまな機会において、可能な限り振動を基礎又は車両フレームに伝えない、エンジンを懸架又は搭載する手段に満足していた。
【先行技術文献】
【特許文献】
【０００７】
【特許文献１】特許第２００４−２０４７７７号明細書
【特許文献２】ドイツ特許第２６  ２６  ９７９号明細書
【発明の概要】
【発明が解決しようとする課題】
【０００８】
本発明は、対照的に、コンパクトな設計であって、質量力及び質量トルクの高品質の均等化を有する往復ピストン・エンジンを提供するという目的を有する。
【課題を解決するための手段】
【０００９】
本発明によれば、これらの目的は、請求項１の特徴部において指定されている特徴を備える往復ピストン・エンジンで達成される。
【００１０】
言い換えると、本発明による往復ピストン・エンジンは、そのアウトプット・シャフトがシリンダ軸に平行することを実質的に特徴とし、またアウトプット・シャフトへのトルクの伝達がかさ歯車を介してなされるという事実によって好ましくは実質的に特徴付けられる。これらのシリンダは、円形の断面を有する。
【００１１】
４本のシリンダは、好ましくは、正方形に配置構成され、互いに関して対角線上にあるこれらのシリンダは反対方向に、ただし他の点では等しい角度位置で動作し、この形に形成される２つのシリンダ対は、頭から足の先まで、つまり、１つの対のクランク駆動装置の間に、配置構成され、シリンダヘッドは、他の対のバルブを備える。
【００１２】
かさ歯車を使って個別のシリンダのトルクをアウトプット軸に伝達することは、高い精度及び高い安定性で加工することが可能である結果、もはや問題ではなく、１９８０年代までにかさ歯車の耐用年数及び運動精度に関して生じたこの点での問題は完全に解決されており、またその時点の非常に高い製造コストもまた完全に解消された。
【００１３】
本発明は、図面を参照しつつ以下でさらに詳しく説明される。
【図面の簡単な説明】
【００１４】
【図１】純粋に概略的なセクションをアウトプット軸に関して垂直に示す図である。
【図２】さまざまなシリンダ軸を通る、コーナーの周りに繰り返し広がる、純粋に概略的なセクションを示す図である。
【図３】図１と同様に見た変更形態の図である。
【図４】図２と同様に見た変更形態の図である。
【図５】２行程動作を行う変更形態を示す図である。
【発明を実施するための形態】
【００１５】
図１は、概略セクションにおいて、本発明による往復ピストン・エンジン１を通り、複数の段階を通って延びる、アウトプット・シャフト２と、アウトプット・シャフト２に取り付けられ、２つの駆動かさ歯車４とかみ合うかさ歯車３とを示している。クランク機構６とかみ合う中間歯車５は、それぞれの場合において、回転可能に固定され、同軸上にあるようにして、駆動かさ歯車４に接続される。クランク機構６は、次いで、シリンダ８のピストン９（図２）のコネクティング・ロッド１１のクランク（シャフト）７に永久接続される。かさ歯車の速度伝達比の選択の結果として、広い制限範囲内で好適な速度伝達比に達することが可能であり、その結果エンジンはこのエンジンに適した回転速度範囲で動作することが可能である。
【００１６】
図１から、クランクシャフト７が図示されている２つのシリンダ８が、アウトプット・シャフト３に対して対称的に、シリンダ軸がそれに平行になるように、配置構成されていることは明らかである。２つのクランクシャフトは、互いに平行であり、アウトプット・シャフト２は、クランク軸によって画定される平面に対して垂直である。
【００１７】
シリンダ８と構造上同一であり、また区別する目的で参照記号に””が付けられている、２つのさらなるシリンダ８’は、アウトプット・シャフト２の軸の周りに設けられ、９０°回転され、そのヘッド上で回動する。
【００１８】
これらの方策の結果、４つのピストン９はすべて、上死点に同時に、また下死点に同時に到達する。しかし、２つのシリンダと２のシリンダとが互いに対して対向する方向に、いわば頭から足の先まで、配置構成されているので、クランクの回転の始めから終わりまでのシリンダの移動の差は完全に均等化され、同じ方向に配置構成されている２つのシリンダの、それぞれの場合における、対称性の結果、水平方向の力（実際には、シリンダ軸に対して垂直に生じる力）が完全に均等化される。
【００１９】
ピストン及びクランクの配置構成と、回転方向を指定する矢印から明らかなように、エンジンは、完全な質量均等化を有する。シリンダ８’に割り当てられているバルブ１０’がピストン９又はシリンダ８のクランク７によって制御されうる、コンパクトな設計の結果として、空間に関する要求条件は低く、中央を貫通するアウトプット・シャフト２は広範な取り付け状況を許容する。コネクティング・ロッド１１を介したピストン９からの実質的に直接的な力束又はトルク束の結果として、短いピストン９とアウトプット・シャフト２への歯部とを介して、エンジンは、実質的にねじれ、したがってねじり振動を免れるが、例えば、古典的な直列６気筒エンジンではクランクシャフトの長さのせいでこのねじれが生じる傾向を有する。
【００２０】
本発明のこの変更形態では、歯車３、４、５、及び６を使うことによって、第１の変更形態の場合と比べて、追加の部品を必要とすることなく所望のエンジンの通常回転速度でエンジンそれ自体におけるアウトプット・シャフト２のそれぞれの望ましい「主回転速度」をすでに達成していることがなおいっそう申し分なく可能である。
【００２１】
本発明の一変更形態は、同一の部品は図１及び２のものと同一の参照記号によって示されている図３及び４に例示されており、またクランク駆動装置又はピストン・エンジンの基本設計も同じであり、個別のシリンダのクランク軸７’の向きのみが異なる。
【００２２】
特に図３から明らかなように、クランクシャフト７の軸７’はアウトプット・シャフト２の軸に向かって走り、軸と交差する。このようにして、クランクシャフト７上に止め付けられている駆動かさ歯車４が、アウトプット・シャフト２上に止め付けられているかさ歯車３とかみ合うことが可能になり、したがってエンジン・トルクは、中間歯部を必要とすることなく、伝えられる。
【００２３】
この設計のおかげで、第１の実施例では必要である平歯車５、６なしで済ませることが可能であり、したがってこれらの歯車がもたらす追加の伝達の可能性がなくなり、かさ歯車の選択によってもたらされる伝達の可能性が保持される。
【００２４】
図３及び４から、バルブを駆動するための一変更形態は、特にねじ山の形で駆動シャフト２上に実装されている、ウオームギアともみなせる、歯部、及びそれとかみ合う、対応するカムでシャフト上に止め付けられる、平歯車を介して、明らかである。しかし、この変更形態は、負荷物としてのみ企図されるべきなので、われわれは、参照記号を与えることを差し控えた。
【００２５】
図５は、「点火の発光の記号」１２で示されているように、２行程動作がなされる、航空機（図示せず）のプロペラ１３の駆動装置として一変更形態を示している。図は、次いで、食い違い配置にされているシリンダを通る断面を示せるように多重屈曲表面にそって走っている。減衰要素１４がプロペラ１３とエンジンとの間の動力伝達装置内に設けられ、前記減衰要素１４は図示されている例では同軸上で駆動を続けるが、そうでなくてもよい。この減衰手段は、好適な速度伝達比を持つトランスミッションと組み合わせることができる。このアウトプット・シャフトの断面図により、同じ種類の少なくとも１つのさらなるエンジン・ユニットがプロペラから見て外を向く側に設けられ、このエンジン・ユニットはアウトプット・シャフトとプロペラ１３にも作用することが示されている。
【００２６】
本発明によるデバイスは、新しい、又は外来の材料、制御装置、シールなどを必要としないため、その結果として、このデバイスはエンジン設計者の発明に関わる知識の範囲内にあり、難なく寸法を決め、構成することができる。歯部は、本発明の知識があれば、またエンジンの出力及びトルク、並びにアウトプット・シャフトの回転速度範囲がわかっていれば問題なく構成され、製造されうるものであり、これに必要なすべての情報は、トランスミッションの設計分野では容易に入手可能である。
【００２７】
図は、直観的に垂直に見える方向に走るアウトプット・シャフト２を示しているが、これは単なる約束事である。往復ピストン・エンジンの場合の常として、シリンダ軸の向きは、各取り付け状況に適応させることができ、しかもこれはエンジンそれ自体には影響しない。水冷式と空冷式とが考えられ、２行程動作又は４行程動作が考えられ、ガソリン、ディーゼル、又は他の燃料の使用は、設計者の裁量にある。
【００２８】
本発明が、コンパクトな設計及び高品質な質量均等化の点から適切である航空機エンジンとして応用される場合、プロペラによって誘発されうるトルクの衝撃に似た変動からかさ歯車の歯部を保護するために「ソフトな」接続又は減衰デバイスが示されている。本発明がこのようにして使用される場合、２行程エンジンとしての動作は、圧縮圧力が低いため有利であり、その結果、オイル・トラフが不要であり、動作が位置に無関係であるため（「人工的な飛行ができる」）、かさ歯車の歯部のところで負荷変動が生じないため、そして最後に、狭い空間内でのガス流の誘導が４行程動作の場合より容易に行うことが可能であるため、壁の厚さ、したがって質量を低減することができる。
【図１】
2013524094.tif 000003
【図２】
2013524094.tif 000004
【図３】
2013524094.tif 000005
【図４】
2013524094.tif 000006
【図５】
2013524094.tif 000007
【国際調査報告】
2013524094.tif 000008
2013524094.tif 000009
2013524094.tif 000010
2013524094.tif 000011